(57)【要約】  本発明は、各々の支持手段上における相互運動のために配置された一対のフットプレートを含むエクササイズ装置であって、支持手段は装置の中央フレーム部から離れて延びており、フットプレートは、一対のヒトの下肢を受取ると共に、ユーザによってエクササイズルーティンの一部として支持手段の方向に相互に動かされるように配置されており、そして、装置は、装置の中央フレーム部から延びるハンドグリップ部を含み、ハンドグリップ部は、例えば、エクササイズルーティン中に弾性偏向に反する上方及び／又は下方運動のような運動用に配置されているエクササイズ装置を提供する。
2019512306.tif 000002
【特許請求の範囲】
【請求項１】
個別支持手段上における運動のために配置された一対のフットプレートを含むエクササイズ装置であって、前記支持手段は前記装置の中央フレーム部から離れて延びており、前記フットプレートは、一対のヒトの下肢を受取ると共に、ユーザによってエクササイズルーティンの一部として前記支持手段の方向に運動させられるように配置されており、そして、前記装置は、前記装置の前記中央フレーム部から延びるハンドルバー配置上に取付けられたハンドグリップ部を含み、前記ハンドグリップ部は、前記エクササイズルーティン中における前記フレーム部に対するように配置されているエクササイズ装置。
【請求項２】
前記支持手段は前記フットプレートの動きの横方向経路を画定する、請求項１に記載の装置。
【請求項３】
前記支持手段は前記フットプレートの動きの前後方向経路を画定する、請求項１に記載の装置。
【請求項４】
前記支持手段は前記フットプレートの動きの多方向経路を画定する、請求項１に記載の装置。
【請求項５】
前記ハンドルバー配置は前記中央フレーム部から横方向に延びている、請求項１、２、３又は４に記載の装置。
【請求項６】
前記ハンドルバー配置は前記中央フレーム部から少なくともある程度は前方及び／又は後方に延びている、請求項１、２、３又は４に記載の装置。
【請求項７】
前記ハンドルバー配置は延長の前方方向と横方向の間で調整可能である、請求項５及び６に記載の装置。
【請求項８】
前記中央フレーム部は、前記ハンドグリップ部が位置する上端を有する上方に延びる細長い部材を含む、請求項１に記載の装置。
【請求項９】
前記ハンドグリップ部は単一部材の対向端上に設けられている、請求項１、２又は３に記載の装置。
【請求項１０】
前記ハンドグリップ部は個々の別々の部材上に設けられているか、それらの一部を形成している、請求項１、２又は３に記載の装置。
【請求項１１】
前記ハンドグリップ部は前記運動中の反復運動のために配置されている、請求項１〜１０のいずれか一項以上に記載の装置。
【請求項１２】
前記ハンドグリップ部は前記エクササイズルーティン中の弾性偏向に逆らう運動のために配置されている、請求項１〜１１のいずれか一項以上に記載の装置。
【請求項１３】
前記ハンドグリップ部はそれぞれが弾性部材によって前記中央フレーム部に連結されている、請求項１〜１２のいずれか一項以上に記載の装置。
【請求項１４】
前記弾性部材はスプリング部材を含む、請求項１２又は１３に記載の装置。
【請求項１５】
前記ハンドグリップ部は、前記運動を提供するために、前記中央フレーム部への連結部の周りを旋回又は一部回転するように配置されている、請求項１〜１４のいずれか一項以上に記載の装置。
【請求項１６】
前記旋回／一部回転は、前記中央フレーム部への前記ハンドグリップ部、又は前記ハンドグリップ部を担持する部材のスプリング懸架式連結にできる、請求項１５に記載の装置。
【請求項１７】
前記ハンドグリップ部、及び／又は、前記ハンドグリップ部を担持する任意の部材は固有弾性を示す、請求項１２に記載の装置。
【請求項１８】
前記ハンドグリップ部、及び／又は、前記ハンドグリップ部を担持する任意の部材は、前記運動を提供するために屈曲及び／又は湾曲するように配置されている、請求項１７に記載の装置。
【請求項１９】
前記ハンドグリップ部の前記運動は単一平面に略限定されている、請求項１〜１８のいずれか一項以上に記載の装置。
【請求項２０】
前記平面は、主垂直成分を有する平面である、請求項１９に記載の装置。
【請求項２１】
前記平面は水平に対して直交する、請求項２０に記載の装置。
【請求項２２】
前記ハンドグリップ部、又は前記ハンドグリップ部を担持する任意の部材の前記旋回／回転可能連結は、前記運動の平面を画定する働きを行う、請求項１９、２０又は２１に記載の装置。
【請求項２３】
前記ハンドグリップ部、又は前記ハンドグリップ部を担持する任意の部材の形状及び／又は構成は、前記運動の平面を画定する働きを行う、請求項１９、２０又は２１に記載の装置。
【請求項２４】
前記弾性偏向は運動の強度及び／又はストロークを調整可能である、請求項１２に記載の装置。
【請求項２５】
前記調整機能は、前記中央フレーム部への旋回／回転可能連結の場所における調整によって提供される、請求項２４に記載の装置。
【請求項２６】
前記調整機能は、前記中央フレーム部への前記弾性部材の接触場所の調整によって提供される、請求項２５に記載の装置。
【請求項２７】
各フットプレートは、前記往復運動の少なくとも１つのストローク中に少なくとも１つのエクササイズウェイトを垂直に持ち上げるような方法で前記ウェイトと動作可能係合するように配置されている、請求項１〜２６のいずれか一項以上に記載の装置。
【請求項２８】
請求項２７に記載され、エクササイズルーティン中に提供される運動に対する抵抗の選択的変動を可能にするために選択的複数のウェイトを受取るように配置されている装置。
【請求項２９】
前記ウェイトは流体充填されるように配置されている、請求項２７又は２８に記載の装置。
【請求項３０】
剛性コネクタが、前記フットプレートと前記エクササイズウェイトの動作可能連結のために設けられており、前記フットプレートの外側運動中には、前記剛性コネクタと関連ウェイトは前記装置の前記横方向部を超えて延びるようになっている、請求項２７、２８又は２９に記載の装置。
【請求項３１】
添付図面の図１〜４、図５、図６及び図７及び８を参照して上に説明し、それらの図に例示されているようなエクササイズ装置。
【発明の詳細な説明】
【技術分野】
【０００１】
本発明はエクササイズ装置／器具に関し、特に、ユーザの内側及び外側大腿筋のエクササイズ用のかかる装置に関するが、それに限定されるものではない。
【背景技術】
【０００２】
特にヒト下肢を含む人体の様々な部位の強度及び調子を改善するために、多種多様なエクササイズ装置及び器具が広く知られている。
【０００３】
１つのかかる器具が、英意匠登録３０１１７５４の内容を形成すると共に、腹臥位でフットプレートに脚を置いた場合に、ユーザがフットプレートを横方向に往復運動させるにつれて、一般的に整列した下方凹レールによって提供される湾曲がユーザの身体を垂直方向に上下させるように、下方凸レールに沿って往復運動するために配置された一対のフットプレートを提供する特別な構成を有する。次に、フットプレートの横方向運動は、ユーザ自身の体重に逆らい、それによって、特に、ユーザの下肢の大腿筋を働かせる動きを行う。
【０００４】
隣接して延びる平行レールに沿ったユーザの下肢の往復運動を含むエクササイズ装置／器具も、公開欧州特許出願ＥＰ２２８１６０９Ａから周知である。
【０００５】
たとえエクササイズのルーティン中の運動性質を、人体の他の一部、筋肉及び筋肉群のエクササイズにも簡単に適合させられるとしても、ユーザが行うエクササイズは下肢だけに向けられたものである。
【発明の概要】
【発明が解決しようとする課題】
【０００６】
本発明は、周知のかかる装置／器具に優るさらなる効果を有するエクササイズ装置／器具を提供しようとしている。特に、本発明は、ユーザの下肢のエクササイズにために配置されているが、それに加えて、又は代替的に、例えば、上半身及び上肢の筋肉、筋肉群のような、その他の筋肉及び筋肉群を働かせるためにも配置されたエクササイズ装置／器具を提供しようとしている。特に、ユーザは、上肢だけ、又は下肢、又は両方を含むエクササイズルーティンを行うことを決められる。
【課題を解決するための手段】
【０００７】
本発明によれば、個々の支持手段上における運動のために配置された一対のフットプレートを含むエクササイズ装置であって、支持手段は装置の中央フレーム部から離れて延びており、フットプレートは、一対のヒトの下肢を受取ると共に、エクササイズルーティンの一部としてユーザによって支持手段の方向に動かされるように配置されており、そして、装置は、装置の中央フレーム部から延びるハンドルバー配置上に取付けられたハンドグリップ部を含み、ハンドグリップ部は、エクササイズルーティン中におけるフレーム部に対する上方及び／又は下方運動のために、しかし、それらの運動に限定されないように配置されている、エクササイズ装置が提供される。
【発明の効果】
【０００８】
装置が、下肢のエクササイズルーティンに加えて、上半身及び上肢の同時かつ補完的又は代替的エクササイズを可能にするという点において、本発明は特に効果的である。
【０００９】
特別な特徴として、上半身及び上肢のエクササイズの性質はリズミカルな方法マッチングで容易に達成可能であり、かつ制御され、下肢エクササイズと同期化される。全エクササイズルーティンは、家庭であれ、ジムであれ、グループ参加クラスの一部であれ、ミュージックベースのエクササイズセッションに特に適した調整が容易で、リズミカルな方法によって行うことができる。
【００１０】
効果的には、前記中央フレーム部は、ハンドグリップ部が位置する上端を有する上方に延びる細長い部材を含む。上述から分かるように、上方に延びる部材はステム部材を含むことができる。
【００１１】
上述のように、ハンドグリップ部は、中央フレーム部から横方向又は前方に延びることができるハンドルバー配置上に設けられるか、又はその一部を形成している。
【００１２】
ハンドグリップは弾性偏向に逆らう運動のために設けられる。
【００１３】
さらに、ハンドグリップ部は単一部材の対向端に設けることもできるし、個々の別々の部材上に設けることもできるし、その一部を形成することもできる。
【００１４】
１つの配置においては、ハンドグリップ部は弾性部材によってそれぞれ中央フレーム部に連結している。ハンドグリップ部それ自体は剛性とすることができる。ピストン／シリンダ配置のような流体・空洞配置も想定されるが、弾性部材はスプリング部材のような任意の適当な部材を含むことができる。
【００１５】
１つの実施形態において、弾性部材は、ファイバーガラスロッドのような細長い可撓性ファイバーガラス部材を含むことができる。
【００１６】
前記運動を提供するために、ハンドグリップ部は中央フレーム部との連結部の周りを旋回又は一部回転するように配置することができる。かかる旋回／回転は、中央フレーム部へのハンドグリップ部、及びハンドグリップ部を担持する部材のスプリング式連結によるものとできる。
【００１７】
代案として、又は追加的に、ハンドグリップ部及び／又はハンドグリップ部を担持する任意の部材は固有弾性を示すことができる。ハンドグリップ部及び／又はハンドグリップ部を担持する任意の部材は、前記上方及び／又は下方運動を提供するために、屈曲及び／又は湾曲するように配置することができる。
【００１８】
ハンドグリップ部の前記運動が単一の平面に略限定されていることが、特に効果的な特徴であることを明らかにできる。特に、その平面は、主垂直成分を有する平面を含むことができ、好ましくは水平に対して直交とすることができる。
【００１９】
ハンドグリップ部、又はハンドグリップ部を担持する部材の旋回/回転連結という方法は、上方及び／又は下方運動の必要平面を画定する働きを行う。
【００２０】
また、ハンドグリップ部、又はハンドグリップ部を担持する部材の形状及び／又は構成も、上方及び／又は下方運動の必要平面を画定する働きを行う。本発明において１つの平面で使用した場合に限って屈曲できるように、例えば、細長い弾性ハンドルバー部には浅い矩形の横断面を設けることができる。
【００２１】
さらなる形態においては、前記弾性偏向によって、運動の強度及び／又はストロークを効果的に調整可能である。単なる例示であるが、中央フレーム部に対する旋回／回転連結の位置における調整、又は中央フレーム部に対する弾性部材の接触場所の調整によって、かかる調整機能を提供することができる。
【００２２】
支持手段は、ユーザの足の横方向運動及び／又はユーザの足の前後運動のためにフットプレートを支持するように配置することができる。当然ながら、本発明は、例えば、円形又は楕円形軌道上での多方向運動も想定している。
【００２３】
必要があれば、前記往復運動の少なくとも１工程中に少なくとも１つのエクササイズウェイトを垂直に持ち上げるような方法で前記ウェイトと動作可能に係合するように、各フットプレートをさらに配置することができる。
【００２４】
本器具を選択的複数のウェイトを受取るように配置して、エクササイズルーティン中に提供される運動に対する抵抗の選択的変動を可能にすることができる。
【００２５】
特に、選択的複数のウェイトの各々は、流体充填又は砂／粒状物充填を行うように配置されている。
【００２６】
１つの特定の形態においては、剛性コネクタがフットプレートとエクササイズウェイトとの動作連結のために設けられており、そして、フットプレートの外側運動中に、剛性コネクタと関連ウェイトが本器具の前記横方向部を越えて延びている。
【００２７】
効果的な変動度を、単独であれ組み合わせであれ、下肢エクササイズ及び上半身エクササイズに両方に与えることができる。
【００２８】
上述から分かるように、本発明は、周知の下肢エクササイズ装置の効果的な適応を提供し、それによって、ユーザの身長・体重とは全く無関係に、エクササイズルーティン中に提供される抵抗に対する簡単かつ精密な可変調整を提供することができる。ウェイトの運動高さも効果的に拡大することができる。
【図面の簡単な説明】
【００２９】
以下では、添付図面を参照しつつ、単なる例示として、本発明をさらに説明する。
【図１】本発明の１つの実施形態によるエクササイズ装置の概略図である。
【図２】図１に類似の装置であるが、ハンドグリップを上方に動かした状態の図である。
【図３】図２に類似の装置であるが、ハンドグリップを上方に最大限動かした状態の図である。
【図４】図３に類似の装置であるが、ハンドグリップを下方に最大限動かした状態の図である。
【図５】本発明の１つの実施形態による装置のハンドグリップ部の１つの実施例の概略図である。
【図６】本発明を実施した装置のハンドグリップ部のもう１つの実施例の概略図である。
【図７】本発明のさらなる実施形態のハンドルバー領域の一部の概略図である。
【図８】図７の一部であって、エクササイズルーティン中の垂直面における運動の概略表示を含む正面図である。
【発明を実施するための形態】
【００３０】
最初に図１を参照すると、本発明の実施形態の概略図は、中央フレーム部の一部として直立伸縮中央支持部１２、１４を有し、該中央支持部の上端から、エクササイズルーティン中にユーザが把持すべき一対のハンドグリップ１６、１８が横方向に延びている、エクササイズ器具１０を示している。ハンドグリップは、弾性材料で形成されたハンドルバーの右１６’及び左１８’部上にそれぞれ設けられている。重要なことは、以下でさらに考察するような任意の適当なエクササイズルーティンの一部としてハンドグリップ１６、１８を把持した場合のユーザの手の動きによって、ハンドルバー部１６’及び１８’はその弾性偏向に逆らって屈曲することを許容されることにある。
【００３１】
器具１０は、さらに、ユーザの足を受取るように各々が配置された一対のフットプレート２０、２２を含み、該フットプレートは、各フットプレート２０、２２の往復運動を許容するように、横方向に延びる支持手段上に可動取付けされている。
【００３２】
フットプレート２２用支持手段は下方湾曲平行レール２４、２６を含み、該レールは器具１０の中央領域部２８に連結されており、その一端から延びているのが中央支持部１２、１４である。
【００３３】
同様に、中央領域部２８に連結されているのが、２つのフットプレートの他方２０がその上に可動取付けされた一対の同様な下方湾曲レール３０、３２である。
【００３４】
レール２４、２６；３０、３２へのフットプレート２０、２２の可動取付けは、必要に応じて、任意の適当な軸受手段／サーフェスによって提供することができる。
【００３５】
上述から分かるように、レール２４、２６；３０、３２は中央領域部２８から共通線に沿って延びており、該共通線は、各フットプレート２０、２２の縦方向に対して略垂直に延びている。
【００３６】
器具１０の中央領域部２８から遠位のレール２４、２６の端は器具１０の側壁部材３４に連結されているのに対して、一方、器具１０の中央領域部２８から遠位のレール３０、３２の端は第２側壁部材３６に取付けられている。
【００３７】
以下から分かるように、側壁部材３４、３６は本発明の図示した実施形態においては重要な機能を果たすが、しかし同様に、使用中には、器具１０の安全なフロア位置のための横方向支持部を提供する。
【００３８】
フットプレート２０、２２の各々に動作可能に連結されているのが、図に示すように、レール２４、２６；３０、３２の各々に類似した構成を有する各対の外側に延びる湾曲支持アーム３８、４０である。
【００３９】
湾曲支持アーム３８、３０の各々は、その各フットプレート２０、２２に動作可能に連結され、その遠位端に、一対のエクササイズウェイト４２、４４の１つを受取るための手段を備える。各フットプレート２０、２２がその内側ストロークの終わりにある場合は、エクササイズウェイト４２、４４の各々が側壁部材３４、３６の各々に隣接しているのが分かる。
【００４０】
また、器具１０の中央部２８は、器具１０のフロア取付け安定性をさらに高めるための一対の脚４８、５０とその各端とを有する横支持アーム４６を備える前端を含む。図１の装置は、ユーザがハンドルバー部１６’及び１８’をその「ホーム」位置に、すなわち、無応力位置にしてエクササイズルーティンを始めようとする状態を示している。
【００４１】
次に図２及び３を参照すると、器具１０の使用が以下のように説明されている。
【００４２】
上述のように、フットプレート２０、２２は、エクササイズルーティン中における器具１０の中央部２８と側壁部材３４、３６との間の往復運動のために配置されている。
【００４３】
下方湾曲レール２４、２６；３０、３２の採用によって、フットプレート２０、２２の往復外側及び内側運動を引き起こす下肢筋肉がユーザの体重に逆らう働きをするように、ユーザの体が繰り返し昇降させられる。
【００４４】
さらに、ユーザがハンドグリップ１６、１８を把持することによって、図示したように、ハンドルバー部１６’及び１８’はその偏向に逆らって上方に湾曲／屈曲させられる。矢印Ａで示したように、これが起こるのは、フットプレート２０、２２が外側に動かされた場合である。
【００４５】
図３は、フットプレート２０、２２の外側運動及びハンドグリップ１６、１８の同時上方運動のストロークの最大限度を示している。また、湾曲アーム３８、４０によって提供される各ウェイト４２、４４への剛性連結によって、これらのウェイト４２、４４も同様に、矢印Ｂによって示した湾曲経路に沿って動かされる。
【００４６】
アーム３８、４０の長さ及び構成から、当然ながら、矢印Ａの方向へのフットプレート２０、２２の外側ストローク中にウェイト４２、４４が動く垂直距離は、実際には、フットプレート２０、２２が動く垂直距離よりもはるかに長い。
【００４７】
これは、エクササイズルーティン中にユーザの下肢が行う仕事量を効果的に増強する。
【００４８】
エクササイズルーティン中における運動の次のストロークは、図４に示したように、フットプレート２０、２２の内側の運動及びハンドルバー部１６’及び１８’の同時下方屈曲／曲折を含む。
【００４９】
図３及び４に例示された位置間での運動は、エクササイズルーティンによって必要な速度及び頻度で繰り返される。もちろん、当然ながら、装置はウェイト及び関連の連結部を含む必要はなく、これらの特徴が存在しないので構造の簡素化が可能になり、さらに、動作の簡素化及び迅速化と、それによる異なるスタイルのエクササイズルーティンが可能となる。
【００５０】
もちろん当然ながら、弾力のある可撓性材料の選択及び／又は弾力性連結の性質によって、ハンドグリップに要求される運動を任意の適当な方法によって容易にできる。図５及び６は多くの可能な例の２つだけを例示したものである。
【００５１】
図５は、エクササイズ装置の中央フレーム部の直線ステム１４’の上端と、可撓性直線ハンドルバー５４の側面端を含むその関連ハンドグリップ１１６、１１８だけを示した本発明の実施形態の一部概略図である。ステム１４’はその上端がハンドルバーコネクタ５６内で終わっている。当然ながら、ハンドルバーは、この例のように単一部材として、又はコネクタ５６に各々が連結された右及び左部材として形成できる。例示したように、直線ハンドルバー５４の上面５４’と側面５４”の相対寸法は、浅い矩形横断面を形成する寸法になっている。これは、ハンドグリップが、矢印Ｙによって示された垂直面の方向にだけ屈曲することができ、水平面では屈曲できないことを決定するのに役立つ。
【００５２】
この方法での運動面の制限が、装置及び装置上のユーザの安定性を損なわない方法でのエクササイズルーティンの強化に効果的であることが判明している。
【００５３】
図６は、本発明を実施した装置のハンドグリップ部のもう１つの実施例の例示である。
【００５４】
ここでも例示されているのが、その上端がステムヘッド５２内で終わっており、その左から右側に左及び右ラグ６２、６２’が延びているステム１４”の一部である。ラグは、個々の剛性ハンドグリップ６６、６６’（６６’は一部図示）をステム１４”に弾性取付けするスプリングピボット継手６４、６４’を含む。従って、図５の方法による屈曲ではなく、図６のハンドグリップ６６、６６’は、旋回／一部回転可能方式によって、スプリング継手６４、６４’によって提供される偏向に逆らって必要な方法でその上方及び下方運動を実現する。
【００５５】
もちろん、本発明のハンドグリップを動かす程度及び容易さは、ステムへの連結のモード／方法の変更によって簡単に変えることができる。図５のような配置の場合、コネクタ５６を越えて延びるハンドルバーの長さが、屈曲の程度及び／又は容易さを決定する働きを行う。図６のような実施形態に関しては、スプリング継手６４のスプリングのタイプ及び強度を必要に応じて選択できる。
【００５６】
次に図７を参照すると、例示されているのは、本発明のエクササイズ装置のさらなる実施形態のハンドルバー領域６８であって、フレームの中央直立ステム部７０と、ロックピン７６によるハンドルバーの確実な高さ調整を可能にする伸縮セクション７２、７４とを含む特に簡素化された配置を有し、ロックピンは、セクション７２、７４の壁を貫通する位置合わせした開口部に受取られるように配置されている。ハンドルバー領域６８は、ボルト８０によってステムセクション７４の上端に固定取付けされた下垂中央ラグ７８を含む。中央ラグ７８に連結又は一体形成されているのが、ハンドルバーを形成する左８２及び右８４に延びるセクションを有する直線バーである。左及び右セクション８２、８４は、共通部材又は中央ラグ７８の領域で相互に連結された別々の部材の各端を含むことができる。別々の部材の場合は、各々が、恐らくはエクササイズルーティンの融通性／適応性のために、相互に異なる弾性変形特性を提供することができる。ハンドルバーセクション８２、８４の各々に取付けされているのが、例えば、発泡体のような、一対の人間工学的ハンドグリップである。左セクション８２は内側８６及び外側８８ハンドグリップを有し、右セクション８４は内側９０及び外側９２ハンドグリップを有する。ハンドグリップは、例えば、外側の一対８８、９２だけ、内側の一対８６、９０だけ、片側が内側、もう片側が外側、又は、片側のハンドグリップ１つだけというように、ユーザが必要な任意の組み合わせで把持することができる。
【００５７】
代案として、しかし図７の提案とは違って、単一のハンドグリップだけがハンドルバーの左８４よび右セクション８６の各々に設けられているが、その位置は、エクササイズルーティン前又は中に、ハンドルバーセクションの長さに沿って内側位置と外側位置との間で選択的に調整することができる。
【００５８】
中央フレーム部７０から上方に延びているのが、高さ調整が可能で、その上端にハンドルバー８２の形のハンドルバー配置が設けられたステム部材８０である。当然ながら、ハンドルバー８２はステム８０との一体形成又は連結を行える。
【００５９】
最後に図８を参照すると、図７のハンドルバー領域６８の正面図が提供される。静止中のハンドルバーに加えて、図８は、全てがエクササイズルーティンの一部として起こるハンドルバー及びその構成部品８２’、８４’、８８’、９２’の上方弾性変形及び８２”、８４”、８８”、９２”の下方弾性変形の概略を示している。明瞭化のために、外側位置のハンドグリップ８８’、８８”、９２’、９２”だけが、ハンドルバーは上方及び下方に変形した状態で示されている。
【００６０】
図７及び８のハンドルバー構成は、フットレストの運動の性質及び／又は方向とは無関係に、関連ウェイトを有するか否かに関わらず、本発明の任意の実施形態との関連において提供することができる。特に簡素化された配置が、任意の追加的ウェイト／抵抗特質なしのフットレストを採用している。
【００６１】
もちろん当然ながら、本発明は上述の実施形態の詳細に限定されるものではない。例えば、フットプレート用支持手段は任意の必要な方向に中央部から離れて延びることができ、平面軌道沿いか否かに関わらず、希望通りに任意の適当な経路を辿ることができる。また、ハンドグリップ部は任意の適当な形状／構成とし、同様に任意の適当な形状／構成を有するハンドルバー部上に取付けることも、ハンドルバー部の一部を形成することもできる。
【図１】
2019512306.tif 000003
【図２】
2019512306.tif 000004
【図３】
2019512306.tif 000005
【図４】
2019512306.tif 000006
【図５】
2019512306.tif 000007
【図６】
2019512306.tif 000008
【図７】
2019512306.tif 000009
【図８】
2019512306.tif 000010
【国際調査報告】
2019512306.tif 000011
2019512306.tif 000012